(57)【要約】【課題】情報処理機器の負荷の増大に伴う床スペースの有効利用、ラック設置スペース確保、温度障害（回り込みなどによる吸い込み温度上昇）の回避及び送風量低減を可能とした。【解決手段】前面吹出口ユニットは、各ラックの吸気面と同形状の端面に複数の吹出口を設け、複数の吹出口から各ラックの吸気面に向かって冷却用空気を吹き込めるように、各ラックの吸気面と対向して室の床上に配置され、複数の吹出口から各ラックの吸気面に向かって冷却用空気を吹き込み、床下空調機は、各ラックの排気面から排気され吸込ユニット内に吸い込まれた排気を吸い込み、再び冷却用空気を生成して吹出チャンバーを介して前面吹出口ユニットへ供給することを特徴とする。【選択図】    図１
2014190685.tif 000002
【特許請求の範囲】
【請求項１】
情報処理機器を収容する２列のラック列であるラック列群からなり、前記２列のラック列を構成するラック毎に各情報処理機器の吸気面側を揃えて装着し、複数の前記ラックを吸気面を揃えてラック列とし、前記ラック列の吸気面側を対面させた通路をコールドアイルとし、前記ラック列の排気面側を対面させた通路をホットアイルとして形成される室に、冷却用空気を送風して前記情報処理機器の温度管理を行う空調システムにおいて、
前面から吸気して背面に排熱する前記ラック列を相互の吸気面側を２つの前記コールドアイルの通路を挟んで前記室の床上に平行に配置してなるラック列群と、
前記ラック列群の吸気面側に前記コールドアイルの通路一つを挟んで平行に前記室の床面に立設して配置され冷却用空気を水平方向へ吹き出す前面吹出口ユニットと、
前記ラック列群の排気面側に前記ホットアイルの通路を挟んで平行に前記室の壁面に沿って前記室の天井と床スラブ間をシャフト状に配置され、前記ラック列群の排気面側に空気を通す無数の吸込口を有する吸込ユニットと、
前記室の床下に床スラブと床との間に形成される床下空間と、
前記床下空間内に設置され前記吸込ユニットに自身の還気吸込口を短ダクトを介して接続される床下空調機と、
前記床下空間に、２つの前記コールドアイルの通路の間に前記前面吹出口ユニットを挟んで一体とした平面輪郭に沿ってパネルを立設して形成され、前記床下空調機の吐出口と接続され、前記前面吹出口ユニットの前記床面が開放された底面に連通する吹出チャンバーと
を備え、
前記前面吹出口ユニットは、
各前記ラックの吸気面と略同形状の端面が全面吹出しである吹出口を複数備え、複数の前記吹出口から各前記ラックの吸気面に向かって冷却用空気を水平方向へ吹き込めるよう、各前記ラックの吸気面と対向して配置され、複数の前記吹出口から各前記ラックの吸気面に向かって冷却用空気を吹き込み、
前記床下空調機は、各前記ラックの排気面からの排気を前記吸込ユニットを介して吸い込み、再び冷却用空気を生成して前記吹出チャンバーを介して前記前面吹出口ユニットへ供給する
ことを特徴とする空調システム。
【請求項２】
情報処理機器を収容する２列のラック列であるラック列群からなり、前記２列のラック列を構成するラック毎に各情報処理機器の吸気面側を揃えて装着し、複数の前記ラックを吸気面を揃えてラック列とし、前記ラック列の吸気面側を対面させた通路をコールドアイルとし、前記ラック列の排気面側を対面させた通路をホットアイルとして形成される室に、冷却用空気を送風して前記情報処理機器の温度管理を行う空調システムにおいて、
前面から吸気して背面に排熱する前記ラック列を相互の吸気面側を２つの前記コールドアイルの通路を挟んで前記室の床上に平行に配置してなるラック列群と、
前記ラック列群の吸気面側に前記コールドアイルの通路一つを挟んで平行に前記室の床面に立設して配置され冷却用空気を水平方向へ吹き出す前面吹出口ユニットと、
前記ラック列群の排気面側に前記ホットアイルの通路を挟んで平行に前記室の壁面に沿って前記室の天井と床スラブ間をシャフト状に配置され、前記ラック列群の排気面側に空気を通す無数の吸込口を有する吸込ユニットと、
前記室の床下に床スラブと床との間に形成される床下空間と、
前記床下空間内に設置され前記吸込ユニットに自身の還気吸込口を短ダクトを介して接続されると共に前記床下空間に吐出口を連通させる床下空調機と、
前記室に隣接配置される空調機械室に配置され、前記室の空調機械室との壁上部に備わる還気口を介して室に連通し、且つ吐出口は前記床下空間に連通する外付け空調機と
を備え、
前記前面吹出口ユニットは、
各前記ラックの吸気面と略同形状の端面が全面吹出しである吹出口を複数備え、複数の前記吹出口から各前記ラックの吸気面に向かって冷却用空気を水平方向へ吹き込めるよう、各前記ラックの吸気面と対向して配置され、複数の前記吹出口から各前記ラックの吸気面に向かって冷却用空気を吹き込み、
前記床下空調機は、各前記ラックの排気面からの排気を前記吸込ユニットを介して吸い込み、再び冷却用空気を生成して前記吹出チャンバーを介して前記前面吹出口ユニットへ供給する
ことを特徴とする空調システム。
【請求項３】
請求項１又は請求項２記載の空調システムにおいて、
前記前面吹出口ユニットは、前記ラックと同じ高さ、幅を有し、底面が開口する鋼板製の略直方体形状のフレーム構造体を連接することによって構成されている
ことを特徴とする空調システム。
【請求項４】
請求項１乃至請求項３の何れか記載の空調システムにおいて、
前記前面吹出口ユニットは、前記ラックの吸気面と略同形状の端面である吹出口に水平方向へ吹出すよう設置されるファンを備えている
ことを特徴とする空調システム。
【請求項５】
請求項１乃至請求項３の何れか記載の空調システムにおいて、
前記前面吹出口ユニットは、ファンを備えていない
ことを特徴とする空調システム。
【請求項６】
請求項５記載の空調システムにおいて、
前記前面吹出口ユニットは、風量調整機構を備えている
ことを特徴とする空調システム。
【請求項７】
請求項６記載の空調システムにおいて、
前記風量調整機構は、前記前面吹出口ユニットの底面の開口にダンパを設けることによって構成される
ことを特徴とする空調システム。
【請求項８】
請求項６記載の空調システムにおいて、
前記風量調整機構は、前記前面吹出口ユニットの底面の開口の開口面積を塞ぎ板によって調整することによって構成される
ことを特徴とする空調システム。
【請求項９】
請求項１記載の空調システムにおいて、
前記床下空調機は、ケーシング内に冷却コイル、送風機を配置し、前記吹出チャンバーの壁面の一部である蓋壁を外した空調機用開口に、ファンセクションの一部を嵌合して装着される
ことを特徴とする空調システム。
【請求項１０】
請求項１乃至請求項９の何れか記載の空調システムを、並列に連接したことを特徴とすることを特徴とする空調システム。
【発明の詳細な説明】
【技術分野】
【０００１】
本発明は、データセンター等の情報処理機器の発熱が大きい空間における空調システムに関する。
【背景技術】
【０００２】
昨今、サーバ、ルータ、ゲートウエイ、サーバの周辺機器であるネットワークデバイス等の情報処理機器が、例えばラック状の入れ物に設置されているデータセンターのサーバ室、或いは高度な通信機器をやはりラック状の入れ物に設置している通信電子機器設置室、或いは高度高速な計算が可能な高性能なスーパーコンピュータを設置した電算機室等において、電子情報処理機器の演算回路の集積のめざましい進化により、情報処理機器の発熱も増え、さらに情報処理機器が小型化したことによる情報処理機器の集積化が進み、室内の平面積あたりの発熱負荷が増大している。
これら情報機器の正常な動作環境を維持するために、室内は常に冷房されている。
【０００３】
上記の通り、集積化が進んだ電子情報処理機器の演算回路、例えば中央演算処理装置：ＣＰＵ機能を持つＭＰＵチップ等は、演算に多くの電力を必要としそのため発熱も多大であるにもかかわらず、その演算を実現するには一定の温度環境に保っておく必要があるので、発熱をいち早く演算回路の周囲から除去しなければならない。ＭＰＵチップには空冷の仕組みがあるとしても、ＭＰＵチップを実装している基板を保持する情報処理機器の筐体内には熱がこもりがちである。そのため、情報処理機器は空冷ファンを備えているのが常である。
これら情報処理機器が高温の空気を吸い込んだ場合、例えばＭＰＵチップの温度環境を逸脱しそうな温度になると、微細なＣＰＵ回路の熱による短絡事故等ハード破壊を防止するために、機器の緊急回避としてのシステム停止により熱上昇を回避する場合がある。ハード破壊は免れても、システム動作停止により演算処理のエラー停止等を引き起こし、演算処理や通信で儲ける情報処理の事業に多大な損失を起こしてしまう。このようなシステム停止等のトラブルは避けなければならない。
【０００４】
発熱量の増加及び集積化の密度増加により、空調機によりせっかく空気を冷却して室内へ送風しても、情報処理機器内の冷却空気の通りが悪くて冷気が機器内に供給できず、ＣＰＵ温度保護の緊急回避システム停止により、ラックに実装された情報処理機器が次々ダウンする問題が頻発し、室内の冷やすべきところへの冷気供給が課題となっている。
また、例えばサーバラック設置の部屋貸しを行うデータセンターの営業上、情報処理機器を設置できる室の建物割合を大きくするという機械室を除く建物のレンタブル比を向上させ、サーバ室の絶対的大きさも大きくさせるため、無駄に大風量の空調機を設置せず、最低限の空調機容量で機械室を小さくしたいとの要望もある。
【０００５】
一般には、従前の電算室空調と同じく、空調機により還気を冷却した給気として二重床下を経由して床吹出口を介し室内に冷気を導き、室内の情報処理機器の排熱を冷気により冷却し、温まった還気を天井吸込口を介して天井を経由して再び空調機へ戻す空気循環で冷却する空調システムが採用されている。
この空調システムは、情報処理機器間で信号や電力の授受に必要なケーブル設置に必須な床下空間を利用し、冷たく重い空気を下から供給し、熱を帯びて軽くなった空気を上方の天井を介して空調機に戻すという、情報処理機器の集積度が小さい時代には理にかなっている空調ではある。
【０００６】
特に、最近の情報処理機器は自身で小さな冷却ファンを備えており、空気冷却の通行方向が決まっている機器がある。このような情報処理機器を有し、これら情報処理機器の向きを揃えてラック状に複数段配置している情報処理装置を備え、二重床下から吹き出す室の場合、情報処理装置の前面同士、後面同士を互いに向かい合わせ、例えば二重床下から吹き出された冷気が情報処理装置の前面から吸い込まれ、後面に熱気として排出される「コールドアイル・ホットアイル方式」が空調システムの主流となって採用されている。
なお、二重床吹き出し方式のサーバ室の場合、情報処理機器を搭載したラックは、大別して、前面から給気して背面や上面に排気しているものと、下面から給気して背面や上面に排気するものとの２通りがある。集積度が上がってきた情報処理機器を搭載したラックでは、前者が主流である。
【０００７】
その一例を、図１４に示す従来のサーバ室用空調システムに基づいて説明する。
サーバ室１は、床スラブから二重床としてポスト根太等で持ち上がられ、金属ダイカストパネルを敷き詰めて歩行面を形成する床２と、機械室との仕切り壁、室間同士の紙面と平行な不図示の壁、及び天井３とで囲まれて、建屋の中に構築される。床２上には、それぞれ情報処理機器であるサーバ等を、各情報処理装置の空冷用冷気取り入れの吸気面を同じ垂直面に揃えて搭載する複数台のラック４が設置され、情報処理装置の吸気面同士を相互に向かい合わせた複数ラック４で形成されるラック列の間に通路５が形成される。
床２の下には床スラブ上面と挟まれて床下空間６が確保され、そこに各ラック４の電力ケーブルや相互の通信ケーブル等が多数それぞれ転がし配線として配置収容されている。また、通路５の外側の機械室には、床２と同レベル上に空気調和装置７が設置される。空気調和装置７は、サーバ室１内の空気を還気として壁上部の吸込口７ａから吸い込んで内蔵する冷却コイルにより冷却し、その冷却後の給気を冷却用空気として底面に設けられた吹出口７ｂから送出する。
【０００８】
この空気調和装置７に用いられる下吹空調機は、フィルター、冷却コイル、送風機とを備え、サーバ室１の上部の高温空気を吸い込み、床下に低温空気を吹出す。空調機内の空気の流れは上部から下部（縦型）である。
床２の一部は通路５に位置するように孔あきパネル８を設け、空気調和装置７から送出される冷却用空気が孔あきパネル８を通して床２上に給気される。
各ラック４は、内部に空冷用冷気取り入れの吸気面を同じ垂直面に揃えて、複数の情報処理機器９，１０が搭載され、筐体４ａの前面全体（吸気面４ｂ）から冷却用空気を、情報処理機器が有する冷却ファン４ｃによって取り込み、筐体の背面方向へ排気する。
【０００９】
次に、図１４の空調システムの作用を説明する。
ラック４に収納された情報処理機器は、その演算処理量等により、消費電力つまり発熱量が変化するが、基本的に２４時間／日電源がＯＦＦされずに動作している。この情報処理機器９，１０の発熱を除去するため、情報処理機器９，１０の冷却ファン４ｃによって取り込むべき冷気を、空気調和装置７により送出させる。空気調和装置７により送出される給気である冷却用空気は、機械室床直上レベルと連通した床下空間６に供給される。
床下空間６に供給された冷却用空気は、空気調和装置７送風機の送出圧により床面の孔あきパネル８を通り、情報処理機器９，１０の冷却ファン４ｃの吸入圧によりラック４の前面の吸気面４ｂ（開口率の高いパンチング板になっていることが多い）を通り、ラック４の筐体内の情報処理機器９，１０内を冷却する。
【００１０】
ラック４の筐体４ａ内に送られた冷却用空気はその筐体４ａ内の情報処理機器９，１０の発熱を冷却し自身は昇温して、ラック４の背面方向へ冷却ファン４ｃの送出圧で放出される。この放出される空気は、サーバ室１の天井３の下を高温成層を形成させながら、空気調和装置７の送風機の吸引圧で、機械室の壁上部の還気口７ａに吸い込まれ、空気調和装置７の冷却コイルにより温調され、再び冷却用空気となって吹き出される。空気の流れを図１４に矢印で示した。
【００１１】
図１４に示す従来の空調システムでは、例えば、ラック４に高負荷サーバが情報処理機器１０として搭載された場合には、高負荷サーバである情報処理機器１０が有する冷却ファン４ｃの送風量も、その発熱量の多さから増大しているが、サーバ室側として高負荷サーバである情報処理機器１０に合わせて、空気調和装置７からの送出量を増大させ、孔あきパネル８から送風しようとすると、低負荷部分の吹出口の風量も増加してしまう。
これは、図１４に示す従来の空調システムでは、床下からのみ給気されるが、サーバ室１内では平面視で孔あきパネル８がばらつきを持って分散して設けられ、無孔パネルの設置部位でも空気漏れの多い上げ床で仕切られる床下空間を介して送風してなお、サーバ室１の機械室から距離のある中央部における孔あきパネル８での吹き上げ風速を面速１ｍ／ｓｅｃ程度に常に確保する必要があり、サーバ室１への空気調和装置７送風機の全供給量を負荷変動に応じて低減等することは、サーバ室１の中央部での給気不足によるラック内情報処理機器のダウンを引き起こす虞の回避を目的とした、室内給気風量分布の確保の面からできなかった。つまり逆に、送風量増加をさせるにしても、どの孔あきパネル８からも吹出量をそれなりに増加するようにしか構成できない。
【００１２】
このような状況下では、高負荷サーバである情報処理機器１０の冷却ファン４ｃは自身の風量が大きいため、近傍の床２の孔あきパネル８から吹き出された冷風はすべて高負荷サーバである情報処理機器１０に吸い込まれるが、低負荷サーバ等の情報処理機器９ではその冷却ファン４ｃの風量は少なく、近くの孔あきパネル８から吹き出され情報処理機器９に吸い込まれなかった冷気が、そのまま上方の天井下の温度成層をなしている高温還気層を掻き乱すことになる。これにより、コールドアイルを形成する各ラック４の複数の情報処理機器の吸気面を同じ垂直面に揃えた筐体４ａの前面側の上部にて、還気として機械室へ戻すべき高温空気の一部掻き乱し、近くの情報処理機器９の冷却ファン４ｃの吸引により、コールドアイルに高温還気を導入させることになりかねない。
【００１３】
また、床吹出し空調だけでは、コールドアイル側にも高さ側に温度分布が生じ、ラック上部側でのサーバ吸込み温度の上昇等の温度障害が生じる虞が大きい。
また、前述のように、サーバ室１の機械室から距離のある中央部における孔あきパネル８での吹き上げ風速を常に確保してする必要（サーバ室１の中央部での給気不足によるラック内情報処理機器のダウン防止のため）から、高負荷サーバである情報処理機器１０に合わせた低い給気温度での大風量床吹きだし空調にせざるを得ず、負荷想定風量（高負荷サーバや低負荷サーバの負荷大小を加味した各温度差や各冷却風量の合算）よりも過剰な送風量や冷熱負荷が生じ、無駄な空調（増エネルギー）となっていた。
【００１４】
また、サーバ室１の床下空間を介して送風され、機械室から距離のある中央部の孔あきパネル８の吹上げ風速を所定値確保する必要があるのに、サーバラック側の演算負荷による熱負荷変化に応じて、配置を変更したり、吹出し風量の抵抗を変化させたりできない孔あきパネル８の分散配置となっているので、床下送風量が大きくなるほど冷風の分布が悪くなり、高負荷サーバが設置されていない多風量の不要な場所にも多量の送風を行うこととなり、床設置の吹出口である孔あきパネル８の送風量の調整が困難となる。
送風量を増やすために、既に通路５では床パネルの殆どが孔あきパネル８であるところ、床吹出口である孔あきパネル８の個数をさらに増やすには、通路５の幅を広くして床スペースを確保する必要があり、つまりサーバ室１からみるとラック４を設置できるスペースが小さくなる。ラック列設置面積が減少する。
【００１５】
そこで、ラック４間の筐体４ａの前面全体（給気面４ｂ）の上部をキャッピング遮蔽体１１を取り付けてコールドアイルにキャッピング（つまりチャンバー化）を施して対応している。
また、図１５に示すように、高負荷サーバである情報処理機器１０にあわせて、床開口（床吹出口）に床吹ファン１２を設置して送風することで、図１４の空調システムの孔あきパネル８の設置の配置不変更や吹き出し風量の抵抗不変化への対応を、高負荷サーバである情報処理機器１０部分だけ風量を増加させようとする対応策とすることも考えられる。
【００１６】
しかし、高負荷サーバである情報処理機器１０の設置が無い低負荷サーバの近傍でも、孔あきパネル８の吹き出し風速は、開口率５０％としてその開口部で３〜５ｍ／ｓｅｃと既に高速であり、それをさらに高速にする床吹きファン１２による吹き出しは、情報処理機器９，１０の冷却ファン４ｃの送風方向（水平方向）と向きが違う、下から上への垂直方向の冷気風速をさらに高速にするので、高負荷サーバである情報処理機器１０等の冷却ファン４ｃの吸い込み風量を増やすこと無く、上方への風の吹き抜け問題を発生させる。
せっかくの風量増加策も、情報処理機器９に吸い込まれなかった冷気が、そのまま上方の天井下の温度成層をなしている高温還気層を掻き乱すことになる。つまり、還気として機械室へ戻すべき高温空気の一部を掻き乱し、近くの情報処理機器９の冷却ファン４ｃの吸引により、コールドアイルに高温還気を導入させることになりかねない。
【００１７】
このように、局所的に床吹出ファン１２等を設置すると吹出風速が大きくなることから、高負荷サーバである情報処理機器１０が適正に空調空気を吸込むことが困難となる。そのため、コールドアイルのキャッピングのためキャッピング遮蔽体１１をラック列上部に施工することとなるが、稼働中のサーバ室１でのキャッピング遮蔽体１１の取付工事等は、振動を嫌うハードディスクや埃を嫌う情報処理機器の特性上、困難である。
サーバラックはセキュリティの掛かった客先所有物のため、サーバラック本体に何かを取り付けるような対策は困難である。
【００１８】
そこで、一方から冷気を吸気し他方から排熱を排出するサーバを収容するラックが配置された部屋の空調を行う既設の空調システムにおいて、排熱を含む部屋内の空気を冷却する空調機と、発熱機器の吸気側に存在するラックの前部に対して着脱自在なフード装置が知られている（例えば、特許文献１参照）。
特許文献１のフード装置は、ラックの前部を覆い、フード装置の内部を空調機で冷却された冷気が流れるフード装置と、フード装置の下方に設けられ、空調機で冷却された冷気を部屋の床下からフード装置へ送り出す床吹出口とを備えている。床吹出口には、風量調整装置として床吹出しファンを設ける場合ある。
【００１９】
また、ラックの上面から通路側へ向けて延びる天壁部と、この天壁部から床へ向けて延びる側壁部とを有する遮蔽体によって、ラックの前面側に外部空間から区画された通路内空間を画成することが知られている（例えば特許文献２参照）。
また、間隔をあけて配置された他のラックとの間の空間を覆うことで空気調節装置による気流を制御するための気流調節部材を設けることが知られている（例えば特許文献３参照）。
【００２０】
また、サーバラックを配列した室内の、ラック列の並びにラック間に設置され、室内の下部空間（床下空間ではない床上の）から吸い込んだ空気を上部空間において吹き出すことにより、還気と比較して低温度の室内の下部空間にある空気が持ち上げられ、室内に設置したラック上部の情報処理機器に吸い込まれるようにした送風装置が知られている（例えば、特許文献４参照）。
また、互いに対向するラックのラック前面同士の間を給気空間とし、ラック背面同士の間を排気空間とするコールドアイル・ホットアイル空調であると共に、給気空間の天井裏空間に給気ダクトを設け、排気空間の天井裏空間に排気ダクトを設け、これらを送風ファンで接続すると共に、ラックのラック背面に対向して冷却パネルを設け、さらに、この冷却パネルに排気をより接触させて背面直後で冷却するよう、背面の対面に複数のファンを冷却パネルに備えるようにして、排気を冷却パネルに流すようにしている開示もある（例えば、特許文献５参照）。
【先行技術文献】
【特許文献】
【００２１】
【特許文献１】特開２０１１−８９７１６号公報
【特許文献２】特開２０１１−１０６７０８号公報
【特許文献３】特開２００９−２８２７５３号公報
【特許文献４】特開２００５−１７２３０９号公報
【特許文献５】特開２０１１−２７４００号公報
【発明の概要】
【発明が解決しようとする課題】
【００２２】
しかし、特許文献１、特許文献２、特許文献３に記載の技術では、上述したように、サーバラックはセキュリティのかかった客先所有物のため、サーバラック本体に何かを取り付けるような対策は困難であるという課題を解決できていない。
しかも、特許文献１では、空調システムを構築後にフード装置を都度装着することとなり、操作が煩雑となる。
また、特許文献２では、空調システムを構築後に機器収容用ラックの上面から通路側へ向けて延びる天壁部と、この天壁部から床へ向けて延びる側壁部とを有する遮蔽体を設けることとなり、操作が煩雑となる。
【００２３】
また、特許文献４では、室内の下部のラック冷却用の空調空気を送風装置によって上部に送るという、室内の高さ方向におけるコールドアイル側の温度勾配を少なくする、つまり給気温度のばらつきを少なくすることが目的であるから、コールドアイル内の風量は不変である。あくまでコールドアイルへの冷気給気は床面の孔あきパネルから送られているのである。高負荷サーバの冷却ファンは自身の風量が大きいため、近傍の床の孔あきパネルから吹き出された冷風はすべて高負荷サーバに吸い込まれるが、低負荷サーバ等の冷却ファンの風量は少なく、近くの孔あきパネルから吹き出され情報処理機器に吸い込まれなかった冷気が、そのまま上方の天井下の温度成層をなしている高温還気層を掻き乱すことになる問題点はそのままである。
【００２４】
また、送風装置は、下部空間から吸って上部空間だけに高速で吹き付けるので、下部の情報処理装置の冷却ファンが吸引力で負けて、今度は下部の冷却がうまくいかなくなる問題がある。
また、ラック列内に送風装置であるファンタワーを配置するので、ラック間の近接設置による信号ケーブルの短縮化ができるラックが少なくなり、床下空間の各種ケーブルの取り回しも留意しなければならないという問題、及びサーバ等情報処理機器を備えたラックの設置面積の減少が生じる。
【００２５】
また、特許文献５では、対向するラック背面同士に挟まれた空間を電算機ラックから排気される排気空間とし、排気空間には、電算機ラックにおけるラック背面の排気口に対向して冷却手段としての冷却パネルを設け、電算機ラックの排気口から排気空間に排気される空気が冷却パネルを通過することにより冷却されるように構成されており、排気を空調機で冷却する空調方式とは異なる方式が採用されている。
このように、特許文献５では、発熱の出るラック近傍で発熱処理（コイル冷却）をする方式となっているため、局所に設置するパネルのみで冷却することとなり、冗長化が図りづらい（例えば故障時にバックアップができず、障害時の空調に支障をきたす）等の問題がある。
また、特許文献５の図８では、冷却パネルの設置によって排気空間の障害物となる虞がある。
【００２６】
本発明は斯かる従来の問題点を解決するために為されたもので、その目的は、情報処理機器の負荷の増大に伴う床スペースの有効利用、ラック設置スペース確保、温度障害（回り込み等による吸い込み温度上昇）の回避及び送風量低減を可能とした空調システムを提供することにある。
【課題を解決するための手段】
【００２７】
請求項１に係る発明は、情報処理機器を収容する２列のラック列であるラック列群からなり、前記２列のラック列を構成するラック毎に各情報処理機器の吸気面側を揃えて装着し、複数の前記ラックを吸気面を揃えてラック列とし、前記ラック列の吸気面側を対面させた通路をコールドアイルとし、前記ラック列の排気面側を対面させた通路をホットアイルとして形成される室に、冷却用空気を送風して前記情報処理機器の温度管理を行う空調システムにおいて、前面から吸気して背面に排熱する前記ラック列を相互の吸気面側を２つの前記コールドアイルの通路を挟んで前記室の床上に平行に配置してなるラック列群と、前記ラック列群の吸気面側に前記コールドアイルの通路一つを挟んで平行に前記室の床面に立設して配置され冷却用空気を水平方向へ吹き出す前面吹出口ユニットと、前記ラック列群の排気面側に前記ホットアイルの通路を挟んで平行に前記室の壁面に沿って前記室の天井と床スラブ間をシャフト状に配置され、前記ラック列群の排気面側に空気を通す無数の吸込口を有する吸込ユニットと、前記室の床下に床スラブと床との間に形成される床下空間と、前記床下空間内に設置され前記吸込ユニットに自身の還気吸込口を短ダクトを介して接続される床下空調機と、前記床下空間に、２つの前記コールドアイルの通路の間に前記前面吹出口ユニットを挟んで一体とした平面輪郭に沿ってパネルを立設して形成され、前記床下空調機の吐出口と接続され、前記前面吹出口ユニットの前記床面が開放された底面に連通する吹出チャンバーとを備え、前記前面吹出口ユニットは、各前記ラックの吸気面と略同形状の端面が全面吹出しである吹出口を複数備え、複数の前記吹出口から各前記ラックの吸気面に向かって冷却用空気を水平方向へ吹き込めるよう、各前記ラックの吸気面と対向して配置され、複数の前記吹出口から各前記ラックの吸気面に向かって冷却用空気を吹き込み、前記床下空調機は、各前記ラックの排気面からの排気を前記吸込ユニットを介して吸い込み、再び冷却用空気を生成して前記吹出チャンバーを介して前記前面吹出口ユニットへ供給することを特徴とする。
【００２８】
請求項２に係る発明は、情報処理機器を収容する２列のラック列であるラック列群からなり、前記２列のラック列を構成するラック毎に各情報処理機器の吸気面側を揃えて装着し、複数の前記ラックを吸気面を揃えてラック列とし、前記ラック列の吸気面側を対面させた通路をコールドアイルとし、前記ラック列の排気面側を対面させた通路をホットアイルとして形成される室に、冷却用空気を送風して前記情報処理機器の温度管理を行う空調システムにおいて、前面から吸気して背面に排熱する前記ラック列を相互の吸気面側を２つの前記コールドアイルの通路を挟んで前記室の床上に平行に配置してなるラック列群と、前記ラック列群の吸気面側に前記コールドアイルの通路一つを挟んで平行に前記室の床面に立設して配置され冷却用空気を水平方向へ吹き出す前面吹出口ユニットと、前記ラック列群の排気面側に前記ホットアイルの通路を挟んで平行に前記室の壁面に沿って前記室の天井と床スラブ間をシャフト状に配置され、前記ラック列群の排気面側に空気を通す無数の吸込口を有する吸込ユニットと、前記室の床下に床スラブと床との間に形成される床下空間と、前記床下空間内に設置され前記吸込ユニットに自身の還気吸込口を短ダクトを介して接続されると共に前記床下空間に吐出口を連通させる床下空調機と、前記室に隣接配置される空調機械室に配置され、前記室の空調機械室との壁上部に備わる還気口を介して室に連通し、且つ吐出口は前記床下空間に連通する外付け空調機とを備え、前記前面吹出口ユニットは、各前記ラックの吸気面と略同形状の端面が全面吹出しである吹出口を複数備え、複数の前記吹出口から各前記ラックの吸気面に向かって冷却用空気を水平方向へ吹き込めるよう、各前記ラックの吸気面と対向して配置され、複数の前記吹出口から各前記ラックの吸気面に向かって冷却用空気を吹き込み、前記床下空調機は、各前記ラックの排気面からの排気を前記吸込ユニットを介して吸い込み、再び冷却用空気を生成して前記吹出チャンバーを介して前記前面吹出口ユニットへ供給することを特徴とする。
【００２９】
請求項３に係る発明は、請求項１又は請求項２記載の空調システムにおいて、前記前面吹出口ユニットは、前記ラックと同じ高さ、幅を有し、底面が開口する鋼板製の略直方体形状のフレーム構造体を連接することによって構成されていることを特徴とする。
請求項４に係る発明は、請求項１乃至請求項３の何れか記載の空調システムにおいて、前記前面吹出口ユニットは、前記ラックの吸気面と略同形状の端面である吹出口に水平方向へ吹出すよう設置されるファンを備えていることを特徴とする。
請求項５に係る発明は、請求項１乃至請求項３の何れか記載の空調システムにおいて、前記前面吹出口ユニットは、ファンを備えていないことを特徴とする。
【００３０】
請求項６に係る発明は、請求項５記載の空調システムにおいて、前記前面吹出口ユニットは、風量調整機構を備えていることを特徴とする。
請求項７に係る発明は、請求項６記載の空調システムにおいて、前記風量調整機構は、前記前面吹出口ユニットの底面の開口にダンパを設けることによって構成されることを特徴とする。
請求項８に係る発明は、請求項６記載の空調システムにおいて、前記風量調整機構は、前記前面吹出口ユニットの底面の開口の開口面積を塞ぎ板によって調整することによって構成されることを特徴とする。
【００３１】
請求項９に係る発明は、請求項１記載の空調システムにおいて、前記床下空調機は、ケーシング内に冷却コイル、送風機を配置し、前記吹出チャンバーの壁面の一部である蓋壁を外した空調機用開口に、ファンセクションの一部を嵌合して装着されることを特徴とする。
請求項１０に係る発明は、請求項１乃至請求項９の何れか記載の空調システムを、並列に連接したことを特徴とすることを特徴とする。
【発明の効果】
【００３２】
本発明によれば、前面吹出口ユニットは、床下チャンバーから供給される冷却用空気を、ラックに向かうサイドフローとして、直接ラック前面の吸気面に吹き付け、吸気面を通りラックの筐体内に送り込むので、高負荷サーバ等の情報処理機器が搭載されたラックが連結された場合でも空調できる。
本発明によれば、前面吹出口ユニット、特にファン付きの前面吹出口ユニットは、吹出チャンバーから供給される冷却用空気を、ラックに向かうサイドフローとして、直接ラック前面の吸気面に吹き付け、吸気面を通りラックの筐体内に送り込むのに際し、各ラック毎に吹き付けるサイドフロー量の調整が容易であり、且つ、吹出口の風速にも床吹出しの孔あきパネルのように高速でなくて無理が無く、情報処理機器の冷却ファンの小さな静圧に対して無理のない同方向風向で送るので、情報処理機器の吸込温度上昇を回避し、無駄な送風をすることがなくなり、送風動力の低減が可能となる。
【００３３】
本発明によれば、前面吹出口ユニットは、床下チャンバーから供給される冷却用空気を、ラックに向かうサイドフローとして、直接ラック前面の吸気面に吹き付け、吸気面を通りラックの筐体内に送り込むので、高速の向きの異なる冷たい吸気を、情報処理機器の内部冷却風向へ無理に風向を変えるためのコールドアイルのキャッピング措置が不要となる。
本発明によれば、高負荷ラックのラック列中の設置割合が増えても、コールドアイル・ホットアイルの通路幅を給気のために増やす必要が無く、サーバ設置向け床平面スペースが有効に利用可能となる。
【００３４】
本発明によれば、サーバ室において、室全体空調のための外付け空調機が併設される場合、室上部に高温還気の温度成層を形成して、その高温還気を外付け空調機に戻すのに際し、ラック吸込面にサイドから高速ではない一定の風速で吹き付けるので、上部の温度成層の高温域を乱し崩すことなく、吹き込めるので、コールドアイルの高温空気巻き込みが防止できる。
本発明によれば、室をモジュール対応として区切ることができ、建物竣工時の次期実装工区等と仕切り、従来の情報処理機器を実装する前工区とは大きく発熱密度が異なる、新型の情報処理機器を実装する高負荷ラック列群を有するモジュールとは区画でき、それぞれの工区に応じた給気温度の設定と風量により効率的な空調が可能となる。
本発明によれば、吸込チャンバーと床下チャンバーとに複数の床下空調機を接続可能に構成していることで、床上の室内ラック列の実装ラックの数に応じて、床下空調機を増設できるので、イニシャルコストを抑えることができる。
【図面の簡単な説明】
【００３５】
【図１】本発明の第一実施形態に係る空調システムを天井空間側から室内を俯瞰して見た概略平面図である。
【図２】本発明の第一実施形態に係る空調システムを床を外して床下空間を俯瞰して見た概略平面図である。
【図３】図１のＡ−Ａ線に沿った断面図である。
【図４】本発明の第一実施形態に係る空調システムのファン付タワー型の前面吹出口ユニットから高負荷ラックへ冷却用空気をプッシュ吹出しする状態を示す概略側断面図である。
【図５】本発明の第一実施形態に係る空調システムのファン無しのタワー型の前面吹出口ユニットから高負荷ラックへ冷却用空気をプッシュ吹出しする状態を示す概略側断面図である。
【図６】（ａ）ファン無しのタワー型の前面吹出口ユニット内にダンパーを設置した例を示す断面図、（ｂ）ダンパーの斜視図である。
【図７】（ａ）ファン無しのタワー型の前面吹出口ユニット内に下部塞ぎ板を設置した例を示す断面図、（ｂ）下部塞ぎ板の斜視図である。
【図８】（ａ）ファン無しのタワー型の前面吹出口ユニット内に前面塞ぎ板を設置した例を示す断面図、（ｂ）前面塞ぎ板の斜視図である。
【図９】本発明の第一実施形態に係る空調システムを連結した例を天井空間側から室内を俯瞰して見た概略平面図である。
【図１０】本発明の第二実施形態に係る空調システムを天井空間側から室内を俯瞰して見た概略平面図である。
【図１１】本発明の第二実施形態に係る空調システムを床を外して床下空間を俯瞰して見た概略平面図である。
【図１２】図１０のＢ−Ｂ線に沿った断面図である。
【図１３】本発明の第二実施形態に係る空調システムを連結した例を天井空間側から室内を俯瞰して見た概略平面図である。
【図１４】従来の空調システムの概略側断面図である。
【図１５】従来の空調システムの概略側断面図である。
【発明を実施するための形態】
【００３６】
以下、本発明を図面に示す実施形態に基づいて説明する。
図１〜図５は、本発明の第一実施形態に係る空調システムをサーバ室２０に適用した例を示す。
サーバ室２０は、壁３１ａ〜３１ｄ、天井３１ｅ及び床スラブ３１ｆで囲まれる建物の室として構築される。床スラブ３１ｆ上には、例えばポスト及び根太上に金属ダイカスト製床パネルを敷き詰める等して、二重床構造を構成するように床３０が設置される。
壁３１ｃ及び壁３１ｄは、例えばボード貼り内面の外壁や、廊下や他用途室と隔てる、例えばボード貼り仕切り壁等で構成され、壁３１ａ及び壁３１ｂは、同用途のサーバ室を区切る鋼板サンドイッチパネル（以降、パネルという。）を立設した壁であることが望ましい。
【００３７】
床３０上には、２列のラック列群４２が複数台のラック４１を連接して、通路４４、後述する前面吹出口ユニット群５１及び通路４４を挟んで形成される。
各ラック４１には、高負荷サーバ又は低負荷サーバ等の情報処理機器４３を吸気面側を揃え、排気面４３ｂ側に情報処理機器４３付属のファン４３ｃを揃えて所定数搭載し、複数の各ラック４１を排気面４３ｂを揃えてラック列とする。つまり、吸気面４３ａもラック列として揃い、その吸気面４３ａを通路４４側に向けて並べている。
通路４４は、床３０に孔あきダイカスト製床パネルやグレーチング等の床吸込口になる床材を敷設して構成される。
【００３８】
２列のラック列群４２のサーバ等である情報処理機器４３の排気面４３ｂと対向する壁３１ａ，３１ｂには、天井３１ｅから床スラブ３１ｆに達する鋼板製のタワー型の吸込ユニット６０ａ，６０ｂが壁面３１ａ，３１ｂに沿って通路４５ａ，４５ｂを挟んそれぞれ配置される。
タワー型の吸込ユニット６０ａ，６０ｂは、天井３１ｅから床スラブ３１ｆに達する高さを有し、壁３１ａ又は壁３１ｂに沿って、少なくともラック列群４２の横幅と同じ以上の横幅を有し、ラック列群４２の情報処理機器４３の排気面４３ｂからの排気総量を取り込んで床下の床下空調機３４へ送り込む通路をリーズナブルな圧力損失で形成することができる縦幅を有する略直方体形状の構造体で構成されている。
【００３９】
タワー型の吸込ユニット６０ａ，６０ｂは、ラック列群４２の排気面４３ｂと対向する床上の壁面６１の、床３０からラック４１と同じ高さレベルまでは、空気を通す無数の吸込口６１ａを備え、床下では床下空調機３４の空気吸込口３４ｂを、短ダクトを介して接続する開口６１ｂを備える。タワー型の吸込ユニット６０ａ，６０ｂは、空気を通す無数の吸込口６１ａを装着するための大開口と開口６１ｂを除く面を、鋼板製サンドイッチパネル（以降、パネルという）で構成されていても良い。
通路４４には、２列のラック列群４２のサーバ等情報処理機器４３の吸気面４３ａと対向するように複数のタワー型の前面吹出口ユニット５０を背中合わせにして２列のタワー型の前面吹出口ユニット群５１が配置される。
【００４０】
タワー型の前面吹出口ユニット５０は、ラック４１の高さ及び横幅を等しくする、鋼材製の略直方体枠組み及びそれに鋼板を貼設する形状のフレーム構造体で構成される。
タワー型の前面吹出口ユニット５０のフレーム構造体は、前面にパンチング板又は網等、空気を通す無数の開口を有する材料を貼った吹出口５２ａを備え、２列のラック列群４２と対面する側の前面５２と、天板５３と、壁３１ａ、３１ｂに平行に位置する背面５４と、枠組みを介して前面５２及び天板５３の両端部に直交して配置される側面５５ａ、５５ｂと、それぞれの辺を形成する鋼材製枠組みとを備え、底面５６には板材を貼らず開口し、底面５６の下部の床３０の床パネルやグレーチングを除去して形成される底面開口５６ａが、床３０の下部に形成される吹出チャンバー３２と連通する。
【００４１】
なお、前記背面５４は背中合わせの２列のタワー型の前面吹出口ユニット群５１で１枚の表面板を共用としても良い。
ファン５９を有するタワー型の前面吹出口ユニット５０は、パンチング板又は網等、空気を通す無数の開口を有する材料を貼った吹出口５２ａを設けた前面５２を、２列のラック列群４２の各ラック４１と対向するように配置し、内部５７に鋼材製枠組みに支持させ前記吹出口５２ａ内面に位置する図示しない複数のバーに沿って、複数のファン５９を縦横方向に吹出方向を水平にして設置する。
【００４２】
タワー型の前面吹出口ユニット群５１位置の床３０下には、吹出チャンバー３２が、タワー型の前面吹出口ユニット５０が連接されて連続する多数の底面開口５６ａの外輪郭に対向する平面積分の床下領域を、壁面を形成するパネル３２ａ，３２ｂ，３２ｃ，３２ｄで仕切って形成される。
パネル３２ａ，３２ｂは、床スラブ３１ｆと床３０との間に形成される床下空間の、壁面３１ａ，３１ｂに平行に床スラブ３１ｆより立設され、複数の床下空調機３４のファンセクションの筐体が緩く嵌り、且つ床下空調機３４の長さ方向に通過できるだけの大きさを有する開口３３ａが、床下空調機３４が設置されるべき所定の位置に開設され、開口３３ａに床下空調機３４が装着されない場合に、吹出チャンバー３２として閉鎖空間にするための蓋壁（図示せず）が開口３３ａに嵌合されている。また、パネル３３ｃ，３３ｄのそれぞれの中央部には、扉が床下空調機３４の搬入口として開閉自在に設置される。
【００４３】
床下空調機３４は、冷却コイル、送風機を必須として備え、フィルターも備えていることが望ましい。床下空調機３４は、床下の床スラブ３１ｆ上に例えば鋼材製基礎と共に設置されるが、吹出チャンバー３２の内部を搬入経路として、床上のラック列群４２の実装進捗に合わせて、一部の台数を後から追加設置できるようにされている。
床下空調機３４は、吹出チャンバー３２の開口３３ａに、ファンセクションの一部を嵌め隙間を充填材で埋めて設置される。当初のサーバ室２０の運転開始時に床上の負荷であるラック列群４２の実装部分が少ない場合は、それに合わせて床下空調機３４も全台数の内一部台数だけ装着して運転する。
床下空調機３４は、還気を吸い込むのに、吸込ユニット６０ａ，６０ｂの床下の開口６１ｂに対して、キャンバスダクト等の短ダクトを介して還気吸込口（セクション）３４ｂを連通して、吸込ユニット６０ａ，６０ｂからプル流として床下空調機３４の送風機吸引圧により、ラック列群４２の情報処理機器４３の排気面４３ｂからの排気を取り込む。
シャフト型の吸込ユニット６０ａ，６０ｂと吹出チャンバー３２との間の床下空調機３４の上面より上のレベルの空間は、ＵＰＳ（無停電電源装置）からサーバ室２０へのケーブルラック配線や、空調機への熱媒配管の収容空間３７とされる。
【００４４】
次に、本実施形態に係る空調システムの作用を説明する。
ラック列群４２の各ラック４１内には、高負荷サーバであったり低負荷サーバであったり、ルータ、ゲートウエイ、サーバの周辺機器であるネットワークデバイス等であったりする情報処理機器４３が、ラック４１毎に各情報処理機器４３の冷却ファン４３ｃからの排気面４３ｂを揃えて搭載され、ラック列群４２としては、排気を通路４４側へ排出するようにしている。ところが、搭載する情報処理機器４３により、ラック４１毎に合計した排気風量は異なっている。
あるラック４１の運転時は、対応するタワー型の前面吹出口ユニット５０内のファン５９を作動させると共に、対応する床下空調機３４を作動させ、床下空調機３４から温調されて送出される冷却用空気が吹出チャンバー３２に供給される。
【００４５】
吹出チャンバー３２に供給された冷却用空気は、床下空調機３４の送風圧及びファン５９の吸入圧により、床面の底面開口５６ａを通り、図４に示すように、タワー型の前面吹出口ユニット５０の、空気を通す無数の開口を有する材料を貼った吹出口５２ａからラック４１に向かうサイドフローを形成する。
各ラック４１に対し対応するタワー型の前面吹出口ユニット５０とラック４１との間にコールドアイルが通路４４部分に形成される。
各ラック４１に対し対応するタワー型の前面吹出口ユニット５０の、空気を通す無数の開口を有する材料を貼った吹出口５２ａからラック４１に向かうサイドフローの風速は、ラック４１の情報処理機器４３の冷却ファン４３ｃの合計風量をラック前面積で除した風速よりも僅かに速くなるようにファン５９によって生成される。
【００４６】
なお、図４は一方のタワー型の前面吹出口ユニット５０とラック４１との関係を示すが、他方のタワー型の前面吹出口ユニット５０とラック４１との関係も同様である。
冷却用空気のサイドフローは、直接ラック４１前面の吸気面４３ａに吹き付けられ、そのままの風向を維持したまま、情報処理機器４３の冷却ファン４３ｃの搬送力により吸気面４３ａを通り、ラック４１の筐体内の情報処理機器４３内部に送られる。
ラック４１の筐体内の各情報処理機器４３内部に送られた冷却用空気は、サーバ等である情報処理機器４３の演算により発熱した部位を冷却し、図１、図３、図４に示すように、高温の排気となって冷却ファン４３ｃの吐出側からラック４１の背面方向へ放出される。２列のラック列群４２を構成するラック４１は、前述のように背面方向を揃えて対面しているので、２列のラック列群４２とシャフト型の吸込ユニット６０ａ，６０ｂとの間の通路４５ａ，４５ｂにホットアイルが形成される。
【００４７】
この放出される高温排気は、図２〜図４に示すように、シャフト型の吸込ユニット６０ａ，６０ｂの空気を通す無数の吸込口６１ａから吸い込まれ短ダクトを介して各床下空調機３４の還気吸込口３４ｂを経て床下空調機３４に吸い込まれ、冷却コイルに到達する。
そして、再び冷却用空気に温調されて冷気吐出口３４ａから吹出チャンバー３２に吹き出される。
本実施形態によれば、タワー型の前面吹出口ユニット５０は、吹出チャンバー３２から供給される冷却空気を、ラック４１に向かうサイドフローとして、直接ラック４１の前面の吸気面４３ａに吹き付け、吸気面４３ａを通りラック４１の筐体内に送り込むので、サーバ４３の吸込温度上昇、特にラック４１等の温度障害を回避することができる。
【００４８】
従って、従来の高負荷サーバ対応として必須であるキャッピング（吸込面を対面させる２つのサーバラック列の天板上を蓋して、サーバラック冷風吸込面と通路部とをチャンバー化すること）が不要となる。
また、高負荷サーバを搭載するラック４１が、サーバラック列群４２の内側にまばらに配置されている場合には、高負荷サーバに対して冷却用空気をサイドフローとして、高負荷サーバを搭載するラック４１の前面に、当該ラック４１の情報処理機器４３の冷却ファン４３ｃの風量合計をラック吸気面積で除した風速より僅かに速い風速で、つまり周囲の低負荷サーバ搭載のラック４１よりも多い風量でそれぞれ吹き付けるので、それぞれのラック４１が要求する冷却用空気をきめ細かく過不足無く供給でき、高負荷サーバを効率的に冷却することが可能となる。
【００４９】
また、高負荷サーバを搭載するラック４１が、独立あるいは少ない連続でまばらに配置されている場合には、高負荷サーバに対して冷却用空気をサイドフローとして、高負荷サーバを搭載するラック４１の前面に、当該ラック４１の情報処理機器４３の冷却ファン４３ｃの風量合計をラック吸気面積で除した風速より僅かに速い風速、つまり当該ラック４１が必要とする風量分だけそれぞれ吹き付けるので、ラック４１が単独や少ない連続である、実装が少ないサーバ室２０の運用初期でも、要求する冷却用空気をきめ細かく過不足無く供給でき、高負荷サーバを効率的に冷却することが可能となる。
【００５０】
また、本実施形態によれば、例えば、図４に示すように、コールドアイルのサイドフローによる低温給気部分と、空気が動きにくいことでホットアイルと熱的につながり上部に熱溜まりとなる高温空気とで温度成層が形成されるが、ラック４１の前面に、当該ラック４１の情報処理機器４３の冷却ファン４３ｃの風量合計をラック吸気面積で除した風速より僅かに速い風速で吹き付けることで、室内上部の高温空気層を乱さず、且つコールドアイルを僅かに正圧としているので、温度成層を乱すことが無く、つまり室内上部熱溜まりから高温空気をコールドアイルに巻き込んでしまうショートサーキットを防止することができる。
【００５１】
また、本実施形態では、サーバ等の情報処理機器４３を搭載するラック４１毎の負荷又は吸込面温度により床下空調機３４の送風量を制御して風量可変とし、タワー型の前面吹出口ユニット５０の前面吹出口からの風量を可変とすることができ、特にファン付きのタワー型の前面吹出口ユニット５０の場合は、ファン５９の台数制御等で更に風量可変が容易にできるので、高負荷サーバが搭載されたラック４１のみに適正な風量増加した冷風を直接吹き付けることができ、低負荷サーバが搭載されたラック４１には不要な増加冷風を送らないように、ファン付きのタワー型の前面吹出口ユニット５０のファン５９を運転することが可能となり、省エネとなる。
【００５２】
また、本実施形態では、２列のラック列群４２の全てのラック４１にそれぞれサーバ４３が全て搭載された場合について説明したが、本発明はこれに限らず、サーバ４３が搭載されていないラック４１がある場合には、そのラック４１と対向するタワー型の前面吹出口ユニット５０の床３０下側には空調機３４を配置せず、開口３３ａ，６１ｂを封鎖してサーバ４３が搭載されるラック４１に対してタワー型の前面吹出口ユニット５０から冷却空気を供給する。
従って、その後、不使用であったラック４１にサーバ４３を搭載する場合には、そのラック４１に対応して床下空調機３４を設置する。
また、本実施形態に係る空調システムでは、例えば床面の底面開口５６ａに風量調整機構を設け、タワー型の前面吹出口ユニット５０の前面吹出口からの風量を可変とすることができる。
【００５３】
また、本実施形態では、タワー型の前面吹出口ユニット５０にファン５９を設置した場合について説明したが、本発明はこれに限らず、例えば図５に示すように、ファン５９を設置しないタワー型の前面吹出口ユニット５０でも使用可能である。
なお、図５は、一方のタワー型の前面吹出口ユニット５０とラック４１との関係を示すが、他方のタワー型の前面吹出口ユニット５０とラック４１との関係も同様である。
また、高負荷サーバを搭載するラック４１が連続してラック列群４２を形成している場合でも、対応する床下空調機３４の一台がダウン停止しても、吹出チャンバー３２に連通される他の床下空調機３４の風量を増大して供給することで、バックアップを果たすこともできる。
【００５４】
また、タワー型の前面吹出口ユニット５０の吹出口５２ａからの風量を調整するために、例えば図６〜図８に示すように、風量調節機構を設ける。
図６は、ダンパ６１を床面の底面開口５６ａに設けた例を示す。ダンパ６１は、例えば枠体６３に複数のダンパ板６２を軸支し、図示しない可動装置によってダンパ板６２の開閉又は傾き調整を行い、風量を調整する。
図７は、床面の底面開口５６ａを塞ぎ板６４によって床面の底面開口５６ａの開口面積を調整して風量を調整する。
図８は、タワー型の前面吹出口ユニット５０の壁面５２の内側に塞ぎ板６５を取り付けて吹出口５２ａの開口面積を調整して風量を調整する。
【００５５】
本発明の第一実施形態に係る空調システムでは、１つのサーバ室２０に適用した例を示したが、本発明はこれに限らず、例えば図９に示すように、３つのサーバ室２０を並列に配置しても良い。
即ち、本発明では、ある一定規模の面積により、空調を完結させたサーバ室２０を連結させることでモジュール対応とすることができる。
上述したように、第一実施形態に係る空調システムは、床下が高く作業者が立って作業できる階高を有する場合に適用される。
【００５６】
図１０〜図１２は、本発明の第二実施形態に係る空調システムを示す。
本実施形態では、床下が低く、作業者が立って作業できる空間が形成できない場合に適用される。
本実施形態では、床下空調機３４Ａが低床設置型の床下空調機とされ、サーバ室２０Ａの両端に配置された空調機械室２１に外付け空調機（ＡＨＵ）３４Ｂを設置し、吹出チャンバー３２に代えて床下空間を吹出チャンバー３２Ａとした点で、第一実施形態に係る空調システムとは相違する。なお、第一実施形態と同一の構成要素については、同じ符号を付して詳細な説明は省略する。
【００５７】
床下空調機３４Ａは、フィルター、冷却コイル、送風機を備える。床下空調機３４Ａは、低床式の床下に設置されるため、空調機３４に比べて能力が劣る。その不足分を、空調機（ＡＨＵ）３４Ｂで補う。
本実施形態では、図１において省略した空調機械室２１に外付け空調機（ＡＨＵ）３４Ｂを設置する。
外付け空調機（ＡＨＵ）３４Ｂから供給される冷却用空気は、吹出チャンバー３２Ａに導かれる。
吹出チャンバー３２Ａは、複数の床下空調機３４Ａを除く床下空間の全領域に形成される。
【００５８】
次に、本実施形態に係る空調システムの作用を説明する。
サーバ４３の運転時はタワー型の前面吹出口ユニット５０内のファン５９を作動させると共に床下空調機３４Ａを作動させ、床下空調機３４Ａから送出される冷却用空気が吹出チャンバー３２Ａに供給される。
吹出チャンバー３２Ａに供給された冷却用空気は、床下空調機３４Ａの送風圧及びファン５９の吸入圧を受けて、床面の底面開口５６ａを通り、図４に示すように、タワー型の前面吹出口ユニット５０の無数の開口から成る吹出口５２ａからラック４１に向かうサイドフローを形成する。タワー型の前面吹出口ユニット５０とラック４１との間にコールドアイルが形成される。タワー型の前面吹出口ユニット５０の無数の開口から成る吹出口５２ａからラック４１に向かうサイドフローの風速は、床下空調機３４Ａの空気吸込口３４ｂから空調機３４に吸い込まれる風速より僅かに速くなるようにファン５９によって生成される。
【００５９】
冷却空気のサイドフローは、直接ラック４１の前面の吸気面４３ａに吹き付け、吸気面４３ａを通りラック４１の筐体内に送られる。ラック４１の筐体内に送られた冷却用空気はその筐体内のサーバ４３を冷却し、図１０〜図１２に示すように、高温の排気となって背面方向に放出される。ラック列群４２と吸込ユニット６０ａ，６０ｂとの間にホットアイルが形成される。
この放出される空気は、図１０〜図１２に示すように、吸込ユニット６０ａ，６０ｂの吸気穴６１ａから吸い込まれて吸込ユニット６０ａ，６０ｂ内を通って各床下空調機３４の空気吸込口３４ｂから床下空調機３４Ａに吸い込まれる。
【００６０】
そして、再び冷却用空気となって吹出チャンバー３２Ａに吹き出される。
なお、第二実施形態では、床下空調機３４Ａは、床下の床スラブ３１ｆ上に例えば鋼材製基礎とともに設置されるのは第一実施形態と同じだが、床下空間に搬入経路を確保するのは難しいので、床のダイカスト製床パネルを外して床下に搬入することとなるが、その場合も、サーバ室２０Ａ内のラック列群４２が設置されていない将来設置スペースの床パネルを外して床下空間へ床下空調機３４Ａを入れ込み、最後の吹出チャンバー３２Ａの開口３３ａの何れかから、床下空調機３４Ａ本体を挿通し、ファンセクションの一部を嵌めるのに、コロ等で水平移動させれば設置が可能である。当初のサーバ室２０Ａの運転開始時に床上の負荷であるラック列群４２の実装部分が少ない場合は、それに合わせて床下空調機３４Ａも全台数の内一部台数だけ装着して運転する。装着しない吸込ユニット６０ａ，６０ｂの開口６１ｂは、同じ大きさのパネル蓋（図示せず）によって閉じられている。また、排気は、吸込ユニット６０ａ，６０ｂを介し、還気吸込口３４ｂに短ダクトを介して床下空調機３４Ａへ還気が吸い込まれるが、実装していない床下空調機３４Ａの開口６１ｂは、同じ大きさのパネル蓋（図示せず）によって閉じられているので還気の吸引圧にも問題はない。
【００６１】
本実施形態においても、第一実施形態と同様の作用効果を奏することができる。
また、本実施形態に係る空調システムでは、第一実施形態と同様に、例えば床面の底面開口５６ａに風量調整機構を設け、タワー型の前面吹出口ユニット５０の前面吹出口からの風量を可変とすることができる。
また、本実施形態では、タワー型の前面吹出口ユニット５０にファン５９を設置した場合について説明したが、本発明はこれに限らず、第一実施形態と同様に、例えば図５に示すように、ファン５９を設置しないタワー型の前面吹出口ユニット５０でも使用可能である。
【００６２】
また、タワー型の前面吹出口ユニット５０の吹出口５２ａからの風量を調整するために、第一実施形態と同様に、例えば図６〜図８に示すように、風量調節機構を設ける。
図６は、ダンパ６１を床面の底面開口５６ａに設けた例を示す。ダンパ６１は、例えば枠体６３に複数のダンパ板６２を軸支し、図示しない可動装置によってダンパ板６２の開閉又は傾き調整を行い、風量を調整する。
図７は、床面の底面開口５６ａを塞ぎ板６４によって床面の底面開口５６ａの開口面積を調整して風量を調整する。
図８は、タワー型の前面吹出口ユニット５０の壁面５２の内側に塞ぎ板６５を取り付けて吹出口５２ａの開口面積を調整して風量を調整する。
【００６３】
本発明の第二実施形態に係る空調システムでは、１つのサーバ室２０Ａに適用した例を示したが、本発明はこれに限らず、第一実施形態と同様に、例えば図９に示すように、３つのサーバ室２０Ａを並列に配置しても良い。
即ち、本発明では、ある一定規模の面積により、空調を完結させたサーバ室２０Ａを連結させることでモジュール対応とすることができる。
【符号の説明】
【００６４】
２０，２０Ａ  サーバ室
２１  空調機械室
３０  床
３２，３２Ａ  吹出チャンバー
３３ｃ，３３ｄ  開口
３４，３４Ａ，３４Ｂ  床下空調機
３４ａ  床下空調機３４の冷風吐出口
３４ｂ  床下空調機３４の還気吸込口
３７  収容空間
４１  ラック
４２  ラック列群
４３  サーバ
４３ａ  吸気面
４３ｂ  排気面
４４，４５ａ，４５ｂ  通路
５０  タワー型の前面吹出口ユニット
５１  タワー型の前面吹出口ユニット群
５２，５４，５５ａ，５５ｂ  壁面
５２ａ  吹出口
５３  天井
５６  底面
５６ａ  開口
５９  ファン
６０ａ，６０ｂ  吸込ユニット
６１  ダンパ
６２  ダンパ板
６４，６５  塞ぎ板
【図１】
2014190685.tif 000003
【図２】
2014190685.tif 000004
【図３】
2014190685.tif 000005
【図４】
2014190685.tif 000006
【図５】
2014190685.tif 000007
【図６】
2014190685.tif 000008
【図７】
2014190685.tif 000009
【図８】
2014190685.tif 000010
【図９】
2014190685.tif 000011
【図１０】
2014190685.tif 000012
【図１１】
2014190685.tif 000013
【図１２】
2014190685.tif 000014
【図１３】
2014190685.tif 000015
【図１４】
2014190685.tif 000016
【図１５】
2014190685.tif 000017